(57)【特許請求の範囲】
【請求項１】
ガラス製の被加熱容器の外側面に帯状の模様印刷部を有し、前記模様印刷部は、１８０度隔てて、二カ所の切れ目を設け、一方の切れ目に水位線目盛を設けたコーヒー沸かし器。
【請求項２】
ガラス製の被加熱容器の外側面に巻き付けたバンドに持ち手を固定し、このバンドと密着する前記被加熱容器の外側面に帯状の印刷部を設けたコーヒー沸かし器。
【発明の詳細な説明】
【０００１】
【発明の属する技術分野】
本発明は、一般家庭用のコーヒー沸かし器に関するものである。
【０００２】
【従来の技術】
従来のコーヒー沸かし器について説明する。従来のコーヒー沸かし器を示すものである図２１において、本体１は水タンク２を備えており水タンク２の底部は逆止弁１５を内蔵した水管３に連結され、水管３はシーズヒーター４の下部を通り本体１の上部の張り出し部５に設けた注湯口６に至っている。シーズヒーター４はアルミの熱伝導部材７に鋳込まれ、上部には保温板取り付け枠８により本体１に固定された保温板９を、下部には水管３をそれぞれ取り付けている。そして、保温板９の上にはガラス製の容器１０が載置され、容器１０の外側面にはバンド１１を巻き付けて持ち手１２を固定しており、さらに容器１０の上には底部に孔１９を有するコーヒーバスケット１３と中央に開口部１２を有するコーヒーバスケット蓋１４を載置している。なお、１６はコーヒーバスケットの持ち手、１７はコーヒーバスケット蓋の持ち手、１８は熱伝導部材７に取り付けられてシーズヒーター４の温度制御をするサーモスタットである。
【０００３】
以上のように構成されたコーヒー沸かし器について、以下その動作を説明する。コーヒーバスケット１３内にペーパーフィルターをセットしてコーヒー粉を入れ、水タンク２には水を入れてシーズヒーター４に通電すると熱伝導部材７を介してこの部分の水管３内の水が沸騰して逆止弁１５の作用により蒸気圧が高まり注湯口６より湯を滴下することができる。そして、注湯口６より滴下された湯はコーヒーバスケット蓋１４中央の開口部１２からコーヒーバスケット１３の中に落ちてペーパーフィルター上のコーヒー粉にかかり、孔１９から容器１０にコーヒー液を抽出することができる。
【０００４】
【発明が解決しようとする課題】
上記のように構成されたコーヒー沸かし器は、容器１０とバンド１１の隙間にコーヒー液が入ると内側から汚れが見えて見苦しかった。
【０００５】
本発明は上記従来の問題点を解決するもので、使い勝ってのよいコーヒー沸かし器を提供することを目的とする。
【０００６】
【課題を解決するための手段】
上記従来の課題を解決するために、本発明のコーヒー沸かし器はガラス製の容器の外側面に対称に分割した二カ所の帯状の模様印刷部を有し、この二カ所の模様印刷部間の一方の切れ目に水位線目盛を設けたものである。
【０００７】
【発明の実施の形態】
請求項１に記載の発明は、ガラス製の容器の外側面に対称に分割した二カ所の帯状の模様印刷部を有し、この二カ所の模様印刷部間の一方の切れ目に水位線目盛を設けた容器を有しているので、ガラス製の容器に模様印刷をする場合に印刷の切れ目の透明部分が１８０゜隔てて二カ所ありそのうちの一方に入れられた水位線目盛は背面の模様と重ならずに見通せるため見やすい。
【０００８】
請求項２に記載の発明は、ガラス製の容器の外側面に巻き付けたバンドに持ち手を固定し、このバンドと密着する容器の外側面に帯状の印刷部を設けた容器を有しているので、ガラス製の容器とバンドの隙間にコーヒー液等が浸み込んだときに汚れが容器の内側から見えないようにすることができる。
【０００９】
【実施例】
（参考例１）
第１の参考例について、図面を参照しながら説明する。なお、従来例と同一構成部品には、同じ符号を付し説明は省略する。
【００１０】
図１、図２において、容器２０の外側面にはバンド２１を巻き付けてこれに容器把手部２２を固定している。コーヒーバスケット２３は底部に孔２４を有し外周上面にはフランジ２５を有しており、フランジ２５の部分を容器２０の上端面に載置することにより、コーヒーバスケット２３は容器２０の中に沈み込んでいる。さらに、コーヒーバスケット２３の上部にはバスケット把手部２６を一体に設けており、容器２０にコーヒーバスケット２３をセットした状態ではバスケット把手部２６の裏面が容器把手部２２の上面に密着している。また、コーヒーバスケット蓋２７は中央の開口部２８と外周部の蓋把手部２９を有しており、コーヒーバスケット２３にコーヒーバスケット蓋２７をセットした状態では蓋把手部２９の裏面がバスケット把手部２６の表面に密着している。
【００１１】
以上のように構成されたコーヒー沸かし器について、その動作を説明する。容器把手部２２とバスケット把手部２６と蓋把手部２９はそれぞれ重なっているのでこれらを片手で同時に持つことにより容器２０に対してコーヒーバスケット２３とコーヒーバスケット蓋２７を保持でき、容器２０の中にでき上がったコーヒー液をカップに注ぐときに、しずくの落ちるコーヒーバスケット２３を外さなくても注ぐことができる。
【００１２】
（参考例２）
以下、本発明の第２の参考例について、図面を参照しながら説明する。なお、従来例と同一構成部品には、同じ符号で示し説明は省略する。
【００１３】
図３、図４に示すように、容器３０の外側面にはバンド３１を巻き付け容器把手部３２を固定してあり、コーヒーバスケット３３には底部の孔３４と外周上面のフランジ３５およびバスケット把手部３６を一体に設けてあり、フランジ３５を容器３０の上端面に載置して容器３０の中にコーヒーバスケット３３を沈み込ませている。コーヒーバスケット３３の上は中央の開口部３８と外周部の蓋把手部３９を設けたコーヒーバスケット蓋３７で覆われ、容器３０にコーヒーバスケット３３とコーヒーバスケット蓋３７をセットした状態では容器把手部３２の上面にバスケット把手部３６の裏面が密着し、バスケット把手部３６の表面に蓋把手部３９の裏面が密着するとともに、容器３０にコーヒーバスケット蓋３７のみをセットした状態では容器把手部３２の上面に蓋把手部３９の裏面が密着している。
【００１４】
以上のように構成されたコーヒー沸かし器について、その動作を説明する。容器把手部３２とバスケット把手部３６と蓋把手部３９はそれぞれ重なっているのでこれらを片手で同時に持つことにより容器３０に対してコーヒーバスケット３３とコーヒーバスケット蓋３７を保持でき、また容器３０にコーヒーバスケット蓋３７だけを装着した状態でも容器把手部３２と蓋把手部３９が密着するので、いずれの状態でも片手で容器３０からコーヒー液をカップに注ぐことができる。
【００１５】
（参考例３）
以下、本発明の第３の参考例について、図面を参照しながら説明する。なお、従来例と同一構成部品には、同じ符号で示し説明は省略する。
【００１６】
図５〜図９に示すように、容器４０の外側面にはバンド４１を巻き付け容器把手部４２を固定してあり、コーヒーバスケット４３には底部の孔４４と外周上面のフランジ４５およびバスケット把手部４６を一体に設けてあり、フランジ４５を容器４０の上端面に載置して容器４０の中にコーヒーバスケット４３を沈み込ませている。コーヒーバスケット４３の上は中央の開口部４８と外周部の蓋把手部４９を設けたコーヒーバスケット蓋４７で覆われ、容器４０にコーヒーバスケット４３とコーヒーバスケット蓋４７をセットした状態では容器把手部４２の上面にバスケット把手部４６の裏面が密着し、バスケット把手部４６の表面に蓋把手部４９の裏面が密着するとともに、容器４０にコーヒーバスケット蓋４７のみをセットした状態では容器把手部４２の上面に蓋把手部４９の裏面が密着している。
【００１７】
コーヒーバスケット蓋４７の裏面には容器４０の内壁上端面に係合する位置決めリブ５０ａ、５０ｂを、またコーヒーバスケット４３のフランジ４５には位置決めリブ５０ａ、５０ｂと係合する凹部５１ａ、５１ｂをそれぞれ設けている。
【００１８】
以上のように構成されたコーヒー沸かし器について、その動作を説明する。重なった持ち手どうしを同時に持つことにより、容器４０にコーヒーバスケット４３とコーヒーバスケット蓋４７を装着した状態でも、コーヒーバスケット蓋４７だけを装着した状態でもコーヒー液を容器４０から片手でカップに注げるとともに、容器４０にコーヒーバスケット蓋４７だけを装着した状態のときにコーヒーバスケット蓋４７に設けた容器４０との位置決めリブ５０ａ、５０ｂによりがたつきをなくすことができる。なお、容器４０にコーヒーバスケット４３とコーヒーバスケット蓋４７を装着した状態では、位置決めリブ５０ａ、５０ｂはコーヒーバスケット４３の凹部５１ａ、５１ｂの中に入り干渉することはない。
【００１９】
（参考例４）
以下、本発明の第４の参考例について、図面を参照しながら説明する。なお、従来例と同一構成部品には、同じ符号で示し説明は省略する。
【００２０】
図１０、図１１に示すように、コーヒーバスケット５２には容器５３の注ぎ口５４に対面する部分に切り欠き部５５を設けている。
【００２１】
以上のように構成されたコーヒー沸かし器について、その動作を説明する。コーヒー液の抽出中にペーパーフィルターが目づまりをしてコーヒー液がコーヒーバスケット５２からオーバーフローしてもコーヒーバスケット５２の切り欠き部から容器５２内に流れ出るため容器５３の外に溢れてテーブル等を汚すことがない。
【００２２】
（参考例５）
以下、本発明の第５の参考例について、図面を参照しながら説明する。なお、従来例と同一構成部品には、同じ符号で示し説明は省略する。
【００２３】
図１２、図１３に示すように、コーヒーバスケット５６の上部で容器５７の注ぎ口５８に対面する部分を切り欠いて網目状のフィルター５９を取り付けている。
【００２４】
以上のように構成されたコーヒー沸かし器について、その動作を説明する。コーヒー液が抽出中にコーヒーバスケット５６からオーバーフローしてもフィルター５９から容器５７内に流れ出て容器５７の外に溢れることがなく、またフィルター５９から容器５７内に流れ込むコーヒー液にはペーパーフィルター内のコーヒー粉が混入しにくい。
【００２５】
（参考例６）
以下、本発明の第６の参考例について、図面を参照しながら説明する。なお、従来例と同一構成部品には、同じ符号で示し説明は省略する。
【００２６】
図１４、図１５に示すように、コーヒーバスケット６０の上部で容器６１の注ぎ口６２に対面する部分に内側に向けて水平に張り出した天板６３を設けている。
【００２７】
以上のように構成されたコーヒー沸かし器について、その動作を説明する。容器６１にコーヒーバスケット６０をつけたままでコーヒー液をカップに注ぐときに、容器６１を注ぎ口６２の方に傾けてもペーパーフィルター内のコーヒー粉を含んだコーヒー液がコーヒーバスケット６０の天板６３で止められるため、カップのコーヒー液にコーヒー粉が混入しにくい。
【００２８】
（参考例７）
以下、本発明の第７の参考例について、図面を参照しながら説明する。図１６、図１７に示すように、保温板６４の周囲に凸状の保温板取り付け枠６５を設けて容器６６とコーヒーバスケット６７とコーヒーバスケット蓋６８を載置し、保温板６４の上面から注湯口６９を備えた張り出し部７０の下面までの高さは容器６６を保温板取り付け枠６５内で傾けたときに容器６６の上端面が張り出し部７０の下面に当接する高さにしている。
【００２９】
以上のように構成されたコーヒー沸かし器について、その動作を説明する。保温板６４に容器６６をセットして持ち運ぶときに、容器６６にコーヒーバスケット６７やコーヒーバスケット蓋６８がセットされていない状態で傾いたり揺れたりしても張り出し部７０に容器６６の上端面が当たって保温板取り付け枠６５との間で保持でき容器６６が落下することがない。
【００３０】
（実施例１）
以下、本発明の第１の実施例について、図面を参照しながら説明する。
【００３１】
図１８、図１９に示すように、ガラス製の容器７１の外側面に対称に分割した二カ所の帯状の模様印刷７２ａ、７２ｂを施し、この二カ所の模様印刷部７２ａ、７２ｂの間の切れ目７３ａ、７３ｂのうちの一方の切れ目７３ａに水位線目盛７４を設けている。
【００３２】
以上のように構成されたコーヒー沸かし器について、その動作を説明する。ガラス製の容器に意匠上の意図から模様印刷をする場合において、印刷の切れ目７３ａ、７３ｂの透明部分が１８０゜隔てて二カ所ありそのうちの一方の切れ目７３ａに入れた水位線目盛７４は背面の模様と重ならずに見通せるため見やすい。また、水位線目盛７４を模様印刷７２ａ、７２ｂと同じ版で同時に印刷することで、水位線目盛７４と模様印刷７２ａ、７２ｂの位置精度も高くできる。
【００３３】
（実施例２）
以下、本発明の第２の実施例について、図面を参照しながら説明する。
【００３４】
図２０に示すように、ガラス製の容器７５の外側面に巻き付けたバンド７６に持ち手７７を固定し、このバンド７６と密着する容器７５の外側面に帯状の印刷部７８を設けている。
【００３５】
以上のように構成されたコーヒー沸かし器について、その動作を説明する。ガラス製の容器７５とバンド７６の隙間にコーヒー液等が浸み込んだときに汚れが容器７５の内側から見えないようにすることができる。
【００３６】
【発明の効果】
以上の実施例の説明より明らかなように本発明は以下の効果を有する。
【００３７】
（１）ガラス製の容器の外側面に対称な二カ所の帯状の模様印刷を施し、二カ所の模様印刷部の切れ目の一方に水位線目盛を設けたことで、ガラス製の容器に模様印刷をする場合に印刷の切れ目の透明部分が１８０゜隔てて二カ所でき、その一方に入れられた水位線目盛は背面の模様と重ならずに見通せるため見やすくできる。
【００３８】
（２）ガラス製の容器の外側面に巻き付けたバンドに持ち手を固定し、このバンドと密着する容器の外側面に帯状の印刷部を設けることで不透明にし、ガラス製の容器とバンドの隙間にコーヒー液等が浸み込んだとき汚れを容器の内側から見えないようにすることができる。
【図面の簡単な説明】
【図１】本発明の第１の参考例のコーヒー沸かし器の縦断面図
【図２】同コーヒー沸かし器の容器部分の平面図
【図３】本発明の第２の参考例のコーヒー沸かし器の縦断面図
【図４】同コーヒー沸かし器のコーヒーバスケットを外した容器部分の縦断面図
【図５】本発明の第３の参考例のコーヒー沸かし器の縦断面図
【図６】同コーヒー沸かし器のコーヒーバスケット蓋の裏面図
【図７】同コーヒー沸かし器のコーヒーバスケットの平面図
【図８】同コーヒー沸かし器の容器部分の他の縦断面図
【図９】同コーヒー沸かし器のコーヒーバスケットを外した容器部分の縦断面図
【図１０】本発明の第４の参考例のコーヒー沸かし器の縦断面図
【図１１】同コーヒー沸かし器のコーヒーバスケットの正面図
【図１２】本発明の第５の参考例のコーヒー沸かし器の縦断面図
【図１３】同コーヒー沸かし器のコーヒーバスケットの正面図
【図１４】本発明の第６の参考例のコーヒー沸かし器の縦断面図
【図１５】同コーヒー沸かし器のコーヒーバスケットの平面図
【図１６】本発明の第７の参考例のコーヒー沸かし器の縦断面図
【図１７】同コーヒー沸かし器の他の縦断面図
【図１８】本発明の第１の実施例のコーヒー沸かし器の容器部分の平面図
【図１９】同コーヒー沸かし器の容器部分の側面図
【図２０】本発明の第２の実施例のコーヒー沸かし器の容器部分の側面図
【図２１】従来のコーヒー沸かし器の縦断面図
【符号の説明】
２０、３０、４０、５３、５７、６１、６６、７１、７５  容器
２３、３３、４３、５２、５６、６０  コーヒーバスケット
２７、３７、４７  コーヒーバスケット蓋
２２、３２、４２  容器把手部
２６、３６、４６  バスケット把手部
２９、３９、４９  蓋把手部
３５、４５  フランジ
５０ａ、５０ｂ  位置決めリブ
５１ａ、５１ｂ  凹部
５５  切り欠き部
５９  フィルター
６３  天板
６４  保温板
６５  保温板取り付け枠
７０  張り出し部
７２ａ、７２ｂ  模様印刷部
７３ａ、７３ｂ  切れ目
７６  バンド
７８  印刷部
【図１】
0003622659.tif 000002
【図２】
0003622659.tif 000003
【図３】
0003622659.tif 000004
【図４】
0003622659.tif 000005
【図５】
0003622659.tif 000006
【図６】
0003622659.tif 000007
【図７】
0003622659.tif 000008
【図８】
0003622659.tif 000009
【図９】
0003622659.tif 000010
【図１０】
0003622659.tif 000011
【図１１】
0003622659.tif 000012
【図１２】
0003622659.tif 000013
【図１３】
0003622659.tif 000014
【図１４】
0003622659.tif 000015
【図１５】
0003622659.tif 000016
【図１６】
0003622659.tif 000017
【図１７】
0003622659.tif 000018
【図１８】
0003622659.tif 000019
【図１９】
0003622659.tif 000020
【図２０】
0003622659.tif 000021
【図２１】
0003622659.tif 000022